(57)【要約】【課題】携帯性に優れ、上りエスカレータ、及び、下りエスカレータの何れにおいても使用可能なエスカレータ用清掃装置、及び、これを用いたエスカレータを提供する。【解決手段】清掃装置１の一対の支持部１６、１６は、軸部１４の軸方向Ｗの両端において、軸部１４を回転可能に支持している。制御部１０は、摩擦ローラ1２と、減速部１３とを有し、軸部１４に取り付けられている。摩擦ローラ1２は、踏み段５に接触し、両者間に生じる摩擦力により、踏み段５の直線運動を回転運動に変換して減速部１３に出力する。減速部１３は、摩擦ローラ1２から入力された回転運動の速度を減じて軸部１４に出力するとともに、軸部１４を摩擦ローラ1２の回転方向とは逆方向に回転させる。ローラブラシ１５は、軸部１４に同軸に取り付けられている。上述した清掃装置１は、エスカレータの一対の側壁４、４に取り付けられ、摩擦ローラ1２とローラブラシ１５とが踏み段５に接触している。【選択図】図１
2011105406.tif 000002
【特許請求の範囲】
【請求項１】
エスカレータの踏み段に用いられる清掃装置であって、軸部と、一対の支持部と、制御部と、ローラブラシとを含み、
前記一対の支持部は、前記軸部の軸方向の両端において、前記軸部を回転可能に支持しており、
前記制御部は、摩擦ローラと、減速部とを有し、前記軸部に取り付けられており、
前記摩擦ローラは、前記踏み段に接触し、両者間に生じる摩擦力により、前記踏み段の直線運動を回転運動に変換して前記減速部に出力し、
前記減速部は、前記摩擦ローラから入力された前記回転運動の速度を減じて前記軸部に出力するとともに、前記軸部を前記摩擦ローラの回転方向とは逆方向に回転させ、
前記ローラブラシは、前記軸部に同軸に取り付けられている、
清掃装置。
【請求項２】
請求項１に記載された清掃装置であって、さらに前記ローラブラシは、複数の可撓性部材と、ローラ基体とを有しており、
前記複数の可撓性部材のそれぞれは、合成樹脂材料を主成分とする繊維体の束であって、前記ローラ基体の外面に突設されており、
前記複数の可撓性部材は、前記ローラ基体の回転方向に沿って千鳥状または直線状に配置され、且、前記ローラ基体の軸方向に間隔を隔てて配置されている、
清掃装置。
【請求項３】
請求項１又は２に記載された清掃装置であって、さらに、拡張部を有しており、
前記拡張部は、前記軸部の前記軸方向でみた前記一対の支持部の間隔を拡縮する、
清掃装置。
【請求項４】
前記請求項１乃至３の何れかに記載された清掃装置であって、
前記減速部は、前記摩擦ローラから入力された前記回転運動の速度を、５分の１から１５分の１の範囲に減じる、
清掃装置。
【請求項５】
一対の側壁と、踏み段と、エスカレータ用清掃装置とを含むエスカレータであって、
前記一対の側壁は、間隔を隔てて向かい合っており、
前記踏み段は、前記間隔内を、前記一対の側壁に沿って移動し、
前記エスカレータ用清掃装置は、請求項１乃至４の何れかに記載されたものでなり、前記軸部が前記踏み段と平行になるように前記一対の側壁の前記間隔に取り付けられ、取り付けられた状態で、前記摩擦ローラと前記ローラブラシとが前記踏み段に接触している、
エスカレータ。
【発明の詳細な説明】
【技術分野】
【０００１】
本発明は、エスカレータの踏み段溝内に堆積した塵埃等を除去するために用いられる清掃装置、及び、これを用いたエスカレータに関する。
【背景技術】
【０００２】
エスカレータは、建物の上階と下階とを移動するために用いられる輸送機器であって、無端状に連結された踏み段と、踏み段を牽引する駆動チェーンと、踏み段の上下反転動作が行われる上階側機械室及び下階側機械室を有している。上階側機械室には駆動装置が設置されており、駆動装置によって駆動チェーンを循環させることにより、駆動チェーンに連結された踏み段を循環させる構造を有している。
【０００３】
また、踏み段は、人が乗る踏み面上に櫛状の踏み段溝を有するとともに、踏み面の幅方向の両端に一対の車輪を有する。一対の車輪は、エスカレータの内部に予め設置されている一対のレール上を、踏み段に人が乗る往路の始点から終点まで走行する。往路の終点に達した踏み段は、上下反転した状態でエスカレータの内部を、再び往路の始点まで輸送される。
【０００４】
ところで、踏み段の踏み面には、乗客の履物に付着した土砂や、衣服に付着した繊維、その他空気中を漂う塵埃（塵埃等）が落下することが知られている。踏み面に落下した塵埃等は、踏み段溝内に一旦堆積した後、踏み段が往路の終点から始点に運ばれる途中で、踏み段溝内からエスカレータ内部に落下することとなる。ここで、塵埃等が一対のレール上に落下すると、走行中の車輪が塵埃等に乗り上げ、がたつきや異音などの不具合が生じるとともに、最悪の場合には緊急停止による死傷事故を招くこととなる。
【０００５】
特に、エスカレータの内部においてレールや駆動チェーンには、踏み段の良好な走行状態を維持するため、自動給油装置により潤滑油が噴霧されているから、レール上に落下した塵埃等が潤滑油によって塊状に凝り固まりやすいという事情がある。そこで、エレベータの保守管理において、踏み面を定期的に清掃し、踏み段溝内に堆積した塵埃等を除去することが重要となる。
【０００６】
上述したエスカレータの踏み段用清掃装置について、従来より様々なものが提供されている。例えば、特許文献１記載の清掃装置は、支持アームと、ローラブラシとを有し、支持アームは、一端に取り付けられた吸着器によってエスカレータの内側板に固定されている。ローラブラシは、支持アームの他端側に回動可能に取り付けられ、踏み段との間の摩擦により、踏み段の移動方向に回転する。
【０００７】
確かに、特許文献１記載の清掃装置によると、従来、清掃作業者が箒やブラシ等を用いて、１段ずつ手作業で踏み面の踏み段溝内に堆積した塵埃等を除去していたのと比較し、清掃作業を効率的に行うことができる。
【０００８】
しかし、特許文献１では、以下に説明するような新たな問題が生じる。まず、第一に、特許文献１記載の清掃装置を構成するローラブラシは、踏み段との間の摩擦により回転する。ここで踏み段の移動速度は、一般に毎秒５０ｃｍと高速であるから、ローラブラシも同程度の速度で高速回転することとなる。従って、高速回転するローラブラシによって踏み段溝内の塵埃等が勢い良く掻き出され、掻き出された塵埃等が空中に舞い上がることとなる。その結果、同清掃装置が例えばデパートなど商業施設のエスカレータの清掃に用いられた場合、舞い上がった塵埃等がエスカレータの周囲に陳列された商品に付着する問題が生じる。
【０００９】
また、特許文献１に記載されているように、ローラブラシが、踏み段との間の摩擦により踏み段の移動方向に回転する構造によると、ローラブラシの回転方向でみて最初に踏み面に接触するブラシの先端部が、踏み面に突き当たることとなる。その結果、ローラブラシのブラシ先端に磨耗が生じやすくなり、コスト高となる。
【００１０】
さらに、特許文献１記載の清掃装置は、支持アームの一端に取り付けた吸着器によってエスカレータの内側板の一方に固定されるから、清掃装置の取り付け作業が面倒であるとともに、ローラブラシを踏み段に対して平行となる関係で、安定して固定し続けることができない。
【先行技術文献】
【特許文献】
【００１１】
【特許文献１】特開平９‐２７８３３９号公報
【発明の概要】
【発明が解決しようとする課題】
【００１２】
本発明の課題は、踏み段溝内の塵埃等を適切に除去することができるエスカレータ用清掃装置、及び、これを用いたエスカレータを提供することである。
【００１３】
本発明のもう１つの課題は、軽量化、小型化を実現し、携帯性に優れたエスカレータ用清掃装置、及び、これを用いたエスカレータを提供することである。
【００１４】
本発明の更にもう一つの課題は、上りエスカレータ、及び、下りエスカレータの何れにおいても使用可能なエスカレータ用清掃装置、及び、これを用いたエスカレータを提供することである。
【００１５】
本発明の更にもう一つの課題は、エスカレータに対して容易に、且、確実に設置することができるエスカレータ用清掃装置、及び、これを用いたエスカレータを提供することである。
【００１６】
本発明の更にもう一つの課題は、清掃作業の効率化を図り、コストを低減することができるエスカレータ用清掃装置、及び、これを用いたエスカレータを提供することである。
【課題を解決するための手段】
【００１７】
本発明に係る清掃装置は、エスカレータの踏み段の清掃に用いられる装置であって、上述した課題を解決するため、軸部と、一対の支持部と、制御部と、ローラブラシとを含む。一対の支持部は、軸部の軸方向の両端において、軸部を回転可能に支持している。制御部は、摩擦ローラと、減速部とを有し、軸部に取り付けられている。摩擦ローラは、踏み段に接触し、両者間に生じる摩擦力により、踏み段の直線運動を回転運動に変換して減速部に出力する。減速部は、摩擦ローラから入力された回転運動の速度を減じて軸部に出力するとともに、軸部を摩擦ローラの回転方向とは逆方向に回転させる。ローラブラシは、軸部に同軸に取り付けられている。
【００１８】
本発明に係る清掃装置は、エスカレータと組み合わせて用いられる。具体的に、本発明に係るエスカレータは、一対の側壁と、踏み段と、エスカレータ用清掃装置とを含む。一対の側壁は、間隔を隔てて向かい合っている。踏み段は、間隔内を、一対の側壁に沿って移動する。エスカレータ用清掃装置は、軸部が踏み段と平行になるように一対の側壁の間隔に取り付けられ、取り付けられた状態で、摩擦ローラとローラブラシとが踏み段に接触している。
【００１９】
上述したように、本発明に係る清掃装置を構成する一対の支持部は、軸部の軸方向の両端において、軸部を支持しているから、軸方向に向かい合う一対の支持部の間隔を予め調節することにより、エスカレータを構成する一対の側壁の間隔に、軸部を取り付けることが可能となる。従って、エスカレータに対し清掃装置を容易に、且、確実に設置することができる。
【００２０】
一対の支持部は、軸部を回転可能に支持しており、ローラブラシは、軸部に同軸に取り付けられている。この構成によると、軸部を踏み段と平行になるように一対の側壁の間隔に取り付け、ローラブラシを踏み段に接触させた場合に、踏み段溝内に堆積した塵埃等を、回転するローラブラシによって除去することができる。
【００２１】
清掃装置を構成する制御部は、踏み段の直線運動を回転運動に変換することにより、軸部を回転させるから、駆動中のエスカレータの踏み段から軸部を回転させる動力を得ることが可能となる。違う言葉で表現すれば、本発明に係る清掃装置は、電動機が不要となる分だけ軽量化及び小型化され、清掃現場までの持ち運びや、清掃現場における取り扱いが容易になる。
【００２２】
摩擦ローラは、踏み段に接触し、両者間に生じる摩擦力により、踏み段の直線運動を回転運動に変換して減速部に出力し、減速部は、摩擦ローラから入力された回転運動の速度を減じて軸部に出力する。この構成によると、軸部に取り付けられたローラブラシは、踏み段の移動速度よりも遅い速度で回転し、踏み段に接触する。従って、踏み段溝内の塵埃等を確実に掃き取ることができる。しかも、踏み段溝内から塵埃等を掻き出す速度が抑制されることにより、掻き出された塵埃等が空中に舞い上がる不都合を回避することができる。
【００２３】
減速部は、軸部を摩擦ローラの回転方向とは逆方向に回転させるから、ローラブラシは、踏み段の移動方向とは逆方向に回転する。この構造によると、ローラブラシは、踏み段に対し移動方向の移動端側から接触することとなり、踏み段溝内の塵埃等の巻上げを防止するとともに、塵埃等を確実に掃き取ることができる。
【００２４】
また、ローラブラシが、踏み段に対し移動端側から接触することにより、ブラシ先端と、踏み段との衝突が回避され、ブラシの磨耗を最小限にとどめることが可能となる。従って、コストを低減することができる。
【００２５】
さらに、本発明に係る清掃装置は、制御部を有することにより、踏み段の移動方向に応じてローラブラシの回転方向が決定されるから、上り用エスカレータ、又は、下り用エスカレータ何れにおいても使用することができる。
【００２６】
本発明に係るエスカレータにおいて、清掃装置は、軸部が踏み段と平行になるように一対の側壁の間隔に取り付けられ、取り付けられた状態で、摩擦ローラとローラブラシとが踏み段に接触している。この構造によると、自動運転のエスカレータで、無人の清掃が可能となる。従って、清掃作業の効率化を図り、コストを低減することができる。
【発明の効果】
【００２７】
以上述べたように、本発明によれば、次のような効果を得ることができる。
（１）踏み段溝内の塵埃等を適切に除去することができるエスカレータ用清掃装置、及び、これを用いたエスカレータを提供することができる。
（２）軽量化、小型化を実現し、携帯性に優れたエスカレータ用清掃装置、及び、これを用いたエスカレータを提供することができる。
（３）上りエスカレータ、及び、下りエスカレータの何れにおいても使用可能なエスカレータ用清掃装置、及び、これを用いたエスカレータを提供することができる。
（４）エスカレータに対して容易に、且、確実に設置することができるエスカレータ用清掃装置、及び、これを用いたエスカレータを提供することができる。
（５）清掃作業の効率化を図り、コストを低減することができるエスカレータ用清掃装置、及び、これを用いたエスカレータを提供することができる。
【００２８】
本発明の他の目的、構成及び利点については、添付図面を参照し、更に詳しく説明する。添付図面は、単に、例示に過ぎない。
【図面の簡単な説明】
【００２９】
【図１】本発明の一実施形態に係るエスカレータ用清掃装置について一部を省略して示す斜視図である。
【図２】図１の清掃装置について一部を省略して示す断面図である。
【図３】図１の清掃装置について一部を省略して示す断面図である。
【図４】図１の清掃装置を構成するローラブラシの側面図である。
【図５】図４のローラブラシについて一部を簡略化して示す正面図である。
【図６】本発明の一実施形態に係るエスカレータについて一部を省略して示す斜視図である。
【図７】図６のエスカレータの一部を拡大して示す正面断面図である。
【図８】図７の一部をさらに拡大して示す側面断面図である。
【図９】本発明のもう一つの実施形態に係る清掃装置を構成するローラブラシの正面図である。
【図１０】本発明のもう一つの実施形態に係る清掃装置について一部を省略して示す断面図である。
【発明を実施するための形態】
【００３０】
図１乃至図１０において同一符号は、同一又は対応部分を示すものとする。また、図１乃至図１０の説明において、軸部の軸方向、及び、踏み面の幅方向は、それぞれ一致するから、全て符号Ｗに統一して示す。
【００３１】
図１乃至図３の清掃装置は、制御部１０と、軸方向Ｗに沿って伸びる軸部１４と、ローラブラシ１５と、一対の支持部１６、１６とを含む。
【００３２】
軸部１４は、固定軸１４１と、回転軸１４２との二重構造を有している。回転軸１４２は、円筒状のパイプ体であって、内部に軸方向Ｗに貫通する中空部１４０を有している。固定軸１４１は、中空部１４０に挿通されており、挿通された状態で、回転軸１４２を回転可能に保持している。回転軸１４２は、固定軸１４１の周りを、軸方向Ｗに交差する周方向Ｒでみて相対向する２方向、例えば、順方向（右回転）、及び、順方向に逆行する逆方向（左回転）に回転可能に保持されている。
制御部１０は、収納部１１と、摩擦ローラ１２と、減速部１３とを有し、ローラブラシ１５と、一対の支持部１６、１６の一方との間において、固定軸１４１上に取り付けられている。
【００３３】
収納部１１は、金属材料を主成分とする円柱状の箱体であって、収納空間１１０と、一対の側壁１１１、１１１と、周面１１２と、開口部１１３と、第１の軸挿通孔１１４と、第２の軸挿通孔１１５とを有している。
【００３４】
一対の側壁１１１、１１１は、収納部１１において軸方向Ｗの両側面を構成し、周面１１２は、一対の側壁１１１、１１１の間を軸方向Ｗに伸びている。収納空間１１０は、一対の側壁１１１、１１１と、周面１１２とによって画定されている。開口部１１３は、エスカレータの踏み段に向かい合う周面１１２の下側に設けられ、収納空間１１０に開口している。
第１の軸挿通孔１１４は、一対の側壁１１１、１１１の一方において、側壁１１１の中心点に相当する部分に開設され、収納空間１１０に通じている。第２の軸挿通孔１１５は、一対の側壁１１１、１１１の他方において、第１の軸挿通孔１１４と軸方向Ｗに重なる位置に開設され、収納空間１１０に通じている。
【００３５】
摩擦ローラ１２と、減速部１３とは、収納空間１１０に収納されている。摩擦ローラ１２は、少なくともローラの周面が、天然ゴム、合成ゴムなどの摩擦係数の高い材料で構成されている。摩擦ローラ１２は、エスカレータを構成する踏み段の踏み面に接触し、両者間に生じる摩擦力により、踏み面の直線運動を回転運動に変換して減速部１３に出力する。図２及び図３の摩擦ローラ１２は、収納空間１１０に収納された状態で、踏み面に接触する位置に取り付けられ、ローラの周面の一部が開口部１１３から外部に突出している。
【００３６】
摩擦ローラ１２は、周方向Ｒでみて相対向する２方向、例えば順方向Ｒ１、及び、順方向Ｒ１に逆行する逆方向Ｒ２に回転可能に保持されている。摩擦ローラ１２の回転方向Ｒ１、Ｒ２は、踏み面の移動方向によって決定され、踏み面の移動方向と同一方向に回転する。
【００３７】
減速部１３は、摩擦ローラ１２から入力された回転運動の速度を減じ、軸部１４を構成する回転軸１４２に出力する。図２及び図３からは必ずしも明らかではないが、減速部１３は、複数の減速歯車の組み合わせで構成されており、各減速歯車の歯車数に応じて、摩擦ローラ１２から入力された回転運動の速度を、５分の１から１５分の１の範囲に減じ、より好ましくは１０分の１程度に減じる。一般に、エスカレータの移動速度は毎秒５０ｃｍほどであるから、減速部１３により回転軸１４２に出力される回転運動の速度は、減速歯車の設置数を適宜設定することにより、毎秒１０ｃｍ〜３ｃｍの範囲で決定することができる。
【００３８】
さらに、減速部１３は、回転軸１４２を摩擦ローラ１２の回転方向（例えばＲ１方向）とは逆方向（例えばＲ２方向）に回転させる。減速部１３から回転軸１４２に出力される回転運動の方向は、減速歯車の設置数によって決定される。図２及び図３の減速部１３は、減速歯車が最少の設置数で簡略化して図示され、具体的には、第１、第２の減速歯車１３１、１３２の組み合わせで構成されている。
【００３９】
第１の減速歯車１３１は、摩擦ローラ１２の回転方向Ｒ１又はＲ２に応じて、順方向（Ｒ１）及び逆方向（Ｒ２）に回転可能に保持されている。図２及び図３の第１の減速歯車１３１は、摩擦ローラ１２と同軸上に結合されており、摩擦ローラ１２から出力される回転運動によって、摩擦ローラ１２と同一の回転方向に回転する。
【００４０】
第２の減速歯車１３２は、摩擦ローラ１２の回転方向Ｒ１又はＲ２に応じて、順方向（Ｒ１）及び逆方向（Ｒ２）に回転可能に保持されている。図２及び図３の第２の減速歯車１３２は、回転軸１４２の一端に結合されており、第２の減速歯車１３２と回転軸１４２とは同一の回転方向に回転する。
【００４１】
ここで、摩擦ローラ１２から第１の減速歯車１３１に出力される回転方向（Ｒ１）は、踏み面の移動方向と同一方向である。従って、減速部１３によって、回転軸１４２を、踏み面の移動方向とは逆方向（Ｒ２）に回転させるためには、第１の減速歯車１３１の後に少なくとももう一つの第２の減速歯車１３２が必要となる。即ち、減速部１３を構成する減速歯車の設置数は、第１、第２の減速歯車１３１、１３２を含めて偶数となりうる。
【００４２】
回転軸１４２は、軸方向Ｗの一端が第１の軸挿通孔１１４に案内され、案内された状態で順方向（Ｒ１）及び逆方向（Ｒ２）に回転可能に保持されている。図２及び図３の回転軸１４２は、一端の内面に歯車用溝１４３を有し、この歯車用溝１４３の内部に第２の減速歯車１３２が凹凸嵌合されている。この構成により、回転軸１４２は、第２の減速歯車１３２の回転方向と同一方向であって、摩擦ローラ１２の回転方向（例えばＲ１方向）とは逆方向（例えばＲ２方向）に回転する。
固定軸１４１は、軸方向Ｗの一端が第１の軸挿通孔１１４を通じて収納空間１１０に案内され、収納空間１１０を軸方向Ｗに貫通し、さらに第２の軸挿通孔１１５を通じて外部に導出されている。図２及び図３の固定軸１４１は、２つの軸部材によって構成される。２つの軸部材は、ジョイント部１４４を介して軸方向Ｗに連結され、単一の軸を構成している。
【００４３】
ローラブラシ１５は、軸部１４を構成する回転軸１４２に同軸に取り付けられている。より詳細に説明すると、ローラブラシ１５は、２つのローラブラシ部材１５ａ、１５ｂによって構成されている。２つのローラブラシ部材１５ａ、１５ｂは、軸方向Ｗに連結され、単一のローラブラシ１５を構成している。以下、説明の都合上、ローラブラシ部材１５ａについて説明するが、２つのローラブラシ部材１５ａ、１５ｂは、同一の構造を有している。
【００４４】
ローラブラシ部材１５ａは、複数の可撓性部材１５０と、ローラ基体１５１と、軸挿通孔１５６とを有しており、一対の支持部１６、１６が軸方向Ｗに向かい合う間隔において回転軸１４２上に固定されている。
【００４５】
複数の可撓性部材１５０のそれぞれは、ポリエチレン（ＰＥ）、ポリプロピレン（ＰＰ）等の合成樹脂材料を主成分とする。また、可撓性部材１５０として、例えば、ナイロン（ＮＹＬＯＮ）、ポリエステル（ＰＯＬＹＥＳＴＥＲ）、ポリウレタン（ＰＵ）等の合成繊維を用いることもできる。
【００４６】
複数の可撓性部材１５０のそれぞれは、合成樹脂材料を主成分とする繊維体の束であって、束の一端がローラ基体１５１の外面に埋設され、ローラ基体１５１の外面に突設されている。可撓性部材１５０を構成する繊維体の束の幅寸法は、後述する踏み面に設けられた踏み段溝を構成する側面の対面距離に追従して適宜設定することができる。複数の可撓性部材１５０のそれぞれは、ローラ基体１５１の周方向Ｒに沿って、千鳥状（図５参照）または直線状（図９参照）に配置されている。
【００４７】
図１乃至図３では簡略化して図示されているが、複数の可撓性部材１５０は、外面において、ローラ基体１５１の軸方向Ｗに間隔を隔てて配置されている。もっとも、軸方向Ｗでみた複数の可撓性部材１５０の配置間隔は、踏み段溝の間隔に追従して適宜設定することができる。
【００４８】
図２及び図３に示すように可撓性部材１５０の先端と、摩擦ローラ１２の突出面との間には高低差Ｇがある。高低差Ｇは、踏み面に接触し回転力を得る摩擦ローラ１２と、踏み面に設けられた踏み段溝の底部に接触し塵埃等を掻き出す可撓性部材１５０との用途の違いに基づくものである。即ち、高低差Ｇは、踏み段溝の深さに追従して適宜設定することができる。
【００４９】
ローラブラシ１５の構成について、さらに図４及び図５を参照して説明する。ローラブラシ部材１５ａを構成するローラ基体１５１は、合成樹脂材料を主成分とする筒状体であって、軸方向Ｗの両側面を構成する一対の端面１５２、１５２を有している。軸方向Ｗで見たローラ基体１５１の幅寸法Ｗ１５１は、１７５〜２００ｍｍ程度である。
【００５０】
ローラ基体１５１は、一対の端面１５２に相互に凹凸嵌合可能な凸部１５４と、凹部１５５とを有している。軸挿通孔１５６は、一対の端面１５２の中央に開口している。回転軸１４２は、軸挿通孔１５６の開口部分を通じ、連続する２つのローラブラシ部材１５ａ、１５ｂの軸挿通孔１５６、１５６に連通され、挿通された状態で着脱可能に固定されている。
【００５１】
図２のローラブラシ１５は、２つのローラ基体１５１を軸方向Ｗに連結することにより、幅寸法Ｗ１５が３５０〜４００ｍｍ程度となっている。これは、一人乗り用エスカレータの場合、踏み面の幅寸法が６００ｍｍ程度となるからである。このようにローラブラシ１５の幅寸法Ｗ１５は、ローラ基体１５１の連結数を調節することにより変更可能であり、取り付けられるエスカレータの幅寸法に追従して決定される。
【００５２】
図３のローラブラシ１５は、複数のボルト１７によって回転軸１４２上に固定されている。複数のボルト１７のそれぞれは、ローラブラシ部材１５ａ、１５ｂのそれぞれにおいて、ボルト１７の先端がローラ基体１５１を貫通し、回転軸１４２に結合されている。
【００５３】
再び図１乃至図３を参照して説明すると、一対の支持部１６、１６のそれぞれは、軸受け部１６１と、接触部１６２とを有し、固定軸１４１の軸方向Ｗの両端を保持している。軸受け部１６１は、一対の支持部１６、１６において軸方向Ｗに向かい合う内面に設けられ、固定軸１４１の端部を保持している。接触部１６２は、リング状の弾性部材であって、内面と反対側にある外面の面内に設けられている。
【００５４】
さらに、図１乃至図３の清掃装置は、拡張部１８を有している。拡張部１８は、制御部１０と、一対の支持部１６、１６の一方との間に取り付けられ、軸方向Ｗでみた一対の支持部１６、１６の間隔Ｗ１６を拡縮する。軸方向Ｗでみた一対の支持部１６、１６の間隔Ｗ１６は、清掃装置が取り付けられるエスカレータの幅寸法に追従して決定される。
【００５５】
図１乃至図３に説明したように、清掃装置は、固定軸１４１の軸方向Ｗの両端が、一対の支持部１６、１６によって保持されているから、一対の支持部１６、１６の間隔Ｗ１６を予め調節することにより、エスカレータを構成する一対の側壁の間隔に、固定軸１４１を介して、回転軸１４２、及び、固定軸１４１に同軸に取り付けられたローラブラシ１５を設置することが可能となる。従って、エスカレータに対し清掃装置を容易に、且、確実に設置することができる。
【００５６】
清掃装置を構成する制御部１０は、踏み面から受ける摩擦力を回転運動に変換することにより、回転軸１４２、及び、ローラブラシ１５を回転させるから、駆動中のエスカレータの踏み面からローラブラシ１５を回転させる動力を得ることが可能となる。違う言葉で表現すれば、清掃装置は、電動機が不要となる分だけ軽量化及び小型化され、清掃現場までの持ち運び、及び、清掃現場における取り扱いが容易になり、清掃作業の作業効率が向上する。
【００５７】
本発明に係る清掃装置は、摩擦ローラ１２、減速部１３を構成する第１、第２の減速歯車１３１、１３２、及び、回転軸１４２、ローラブラシ１５が、周方向Ｒでみて相対向する２方向（Ｒ１及びＲ２）に回転可能に保持されている。ローラブラシ１５の回転方向（Ｒ１）は、摩擦ローラ１２の回転方向（Ｒ２）に応じて決定されるから、上り用エスカレータ、又は、下り用エスカレータ何れにおいても使用することができる。
【００５８】
また、ローラブラシ１５の回転方向（Ｒ１）は、摩擦ローラ１２の回転方向（Ｒ２）に応じて決定されるから、幅寸法が６００ｍｍ程度の一人用エスカレータにおいて、幅寸法Ｗ１５が４００ｍｍ程度のローラブラシ１５を有する清掃装置を左右反転して設置することにより、踏み面の左面と右面とを順次清掃し、清掃した面領域の踏み段溝内の塵埃等を除去することができる。
【００５９】
図１乃至図５を参照して説明した清掃装置は、エスカレータの踏み段溝内に落下した塵埃等６を除去するために用いられる。図６のエスカレータは、鉄道駅や各種商業施設において建物の上階と下階とを移動する目的で広く利用されている輸送機器であって、図１乃至図５を参照して説明した清掃装置１と、下階側の昇降口２１と、上階側の昇降口２２と、無端状に連結された踏み段５と、踏み段５の反転動作が行われる上階側機械室（図示しない）及び下階側機械室（図示しない）を有している。上階側機械室には駆動装置（図示しない）が設置されており、駆動装置によって駆動チェーン（図示しない）を循環させることにより、駆動チェーンに接続された階段状の踏み段５を循環させる構造を有している。なお、上階側機械室内における踏み段５の移動方向Ｆが下向きであれば上りエスカレータ、上向きであれば下りエスカレータとなる。
【００６０】
踏み段５は、踏み面５０の幅方向Ｗの両端に一対の車輪（図示しない）を有する。一対の車輪は、エスカレータの内部に予め設置されている一対のレール（図示しない）上を、往路の始点から終点まで走行する。往路の終点に達した踏み段５は、上下反転した状態でエスカレータ内部を、再び移動方向Ｆに沿って往路の始点まで輸送される。ここで、エスカレータの往路とは、踏み段５に人が乗降する区間を言う。
【００６１】
昇降口２１、２２は、間隔Ｗ４を隔てて向かい合う一対の側壁４、４を有している（図７参照）。一対の側壁４、４の間隔Ｗ４は、一人乗り用エスカレータの場合は６００ｍｍ程度であり、二人乗り用エスカレータの場合は１０００ｍｍ程度である。踏み段５は、間隔Ｗ４内を、一対の側壁４、４に沿って移動する。
【００６２】
図７の踏み段５は、踏み面５０を有している。踏み面５０は、面内に複数の踏み段溝５１が設けられている。複数の踏み段溝５１は、移動方向Ｆに交差する踏み面５０の幅方向Ｗに連続して形成されている。複数の踏み段溝５１のそれぞれは、踏み面５０に対する踏み段溝５１の深さ寸法Ｔ５１が１１ｍｍ程度、幅方向Ｗで見た踏み段溝５１内の差し渡し寸法Ｗ５１が６ｍｍ程度、踏み面５０を構成する先端面の幅寸法が２．４ｍｍ程度である。複数の踏み段溝５１は、幅方向Ｗに沿って櫛状に等配され、幅寸法の中間で測ったピッチ間隔が８．４ｍｍ程度であり、踏み段５の移動方向Ｆに添って条状に延びている。
【００６３】
ところで、踏み面５０には、乗客の履物に付着した土砂や、衣服に付着した繊維、その他空気中を漂う塵埃（塵埃等６）が落下することが知られている。踏み面５０に落下した塵埃等６は、踏み段溝５１内に一旦堆積した後、踏み段５がエスカレータ内部を往路の始点に運ばれる途中で、踏み段溝５１内からエスカレータ内部に落下することとなる。ここで、塵埃等６がレール上に落下すると、走行中の車輪が塵埃等６に乗り上げ、がたつきや異音などの不具合が生じるとともに、最悪の場合には緊急停止による死傷事故を招くこととなる。
【００６４】
特に、エスカレータ内部においてレールや駆動チェーンには、その良好な走行状態を維持するため自動給油装置により潤滑油が噴霧されているから、レール上に落下した塵埃等６が潤滑油によって塊状に凝り固まりやすいという事情がある。そこで、エレベータの保守管理においては、踏み面５０を定期的に清掃し、踏み段溝５１内に堆積した塵埃等６を除去することが重要となる。
【００６５】
清掃装置１は、複数の踏み段５の踏み面５０が無段差で移動するエスカレータ昇降口２１、２２に設けられる。図６において清掃装置１は、下階側の昇降口２１に設けられているが、上階側の昇降口２２に設けることもできる。
【００６６】
図７の清掃装置１は、軸部１４が踏み面５０と平行になるように一対の側壁４、４の間隔Ｗ４に取り付けられ、取り付けられた状態で、接触部１６２が一対の側壁４、４に対して圧接し、摩擦ローラ１２が踏み面５０に接触し、且、ローラブラシ１５の可撓性部材１５０が踏み段溝５１の内部に案内されている。
【００６７】
図６及び図７のエスカレータによると、図１乃至図５を参照して説明した清掃装置１の利点を全て有することができる。例えば、清掃装置１は、固定軸１４１の軸方向Ｗの両端が、一対の支持部１６、１６によって保持されているから、一対の支持部１６、１６の間隔Ｗ１６を予め調節することにより、エスカレータを構成する一対の側壁４、４の間隔Ｗ４に、固定軸１４１を介して、回転軸１４２、及び、固定軸１４１に同軸に取り付けられたローラブラシ１５を設置することが可能となる。従って、エスカレータに対し清掃装置１を容易に、且、確実に設置することができる。
【００６８】
回転軸１４２は、固定軸１４１によって回転可能に支持されており、ローラブラシ１５は、回転軸１４２に同軸に取り付けられている。この構成によると、回転軸１４２を踏み面５０と平行になるように一対の側壁４、４の間隔Ｗ４に取り付け、ローラブラシ１５を踏み段溝５１に接触させた場合に、踏み段溝５１内の塵埃等６をローラブラシ１５によって除去することができる。
【００６９】
清掃装置１を構成する制御部１０は、踏み面５０との間で生じる摩擦力を回転運動に変換することにより、ローラブラシ１５を回転させるから、駆動中のエスカレータの踏み面５０からローラブラシ１５を回転させる動力を得ることが可能となる。違う言葉で表現すれば、本発明に係る清掃装置１は、電動機が不要となる分だけ軽量化及び小型化され、清掃現場までの持ち運び、及び、清掃現場における取り扱いが容易になり、清掃作業の作業効率が向上する。
【００７０】
摩擦ローラ１２は、踏み段５を構成する踏み面５０に接触し、両者間に生じる摩擦力により、踏み面５０の直線運動Ｆを回転運動（Ｒ１）に変換して減速部１３に出力し、減速部１３は、摩擦ローラ１２から入力された回転運動（Ｒ１）の速度を減じて回転軸１４２に出力する。この構成によると、回転軸１４２に取り付けられたローラブラシ１５は、踏み面５０の移動速度よりも遅い速度で踏み段溝５１に接触する。その結果、一般に毎秒５０ｃｍと高速で移動する踏み面５０に対して、ローラブラシ１５を例えば毎秒５ｃｍ程度の低速で回転させることができる。従って、ローラブラシ１５は、可撓性部材１５０が踏み段溝５１内において摩擦により湾曲した状態でゆっくり塵埃等６をかき集め、さらに回転に応じてかき集めた塵埃等６を持ち上げ、踏み段溝５１外に持ち上げることができる。従って、デパートなど商業施設のエスカレータを清掃する場合における塵埃等６の巻きあがりを防止し、エスカレータ周囲に陳列された商品に付着する不具合を回避することができる。
【００７１】
また、ローラブラシ１５が踏み面５０と同程度の速度で回転する構成とは異なり、踏み段溝５１に対する可撓性部材１５０の接触時間が長くなるから、塵埃等６の除去を確実に行うことができる。従って、踏み段溝５１内の塵埃等６の巻上げを防止するとともに、塵埃等６を確実に掃き取ることができる。
【００７２】
しかも、減速部１３は、回転軸１４２、を摩擦ローラ１２の回転方向（Ｒ１）とは逆方向（Ｒ２）に回転させるから、回転軸１４２に取り付けられたローラブラシ１５は、踏み面５０の移動方向Ｆとは逆方向（Ｒ２）に回転する。この構造によると、図８に示すように、ローラブラシ１５は、踏み段溝５１に対し、移動方向Ｆでみた踏み面５０の移動端から接触することとなり、踏み段溝５１内の塵埃等６の巻上げを防止するとともに、塵埃等６を確実に掃き取ることができる。
【００７３】
また、ローラブラシ１５が、踏み段溝５１に対し、踏み面５０の移動端から接触することにより、可撓性部材１５０の先端と、踏み段溝５１の底部との衝突が回避される。従って、可撓性部材１５０の磨耗を最小限にとどめ、製品寿命が長くなるとともに、コストを低減することができる。
【００７４】
本発明に係る清掃装置１は、制御部１０によってローラブラシ１５の回転方向（Ｒ１又はＲ２）が決定されるから、上り用エスカレータ、又は、下り用エスカレータ何れにおいても使用することができる。
【００７５】
しかも、摩擦ローラ１２、減速部１３を構成する第１、第２の減速歯車１３１、１３２、及び、回転軸１４２、ローラブラシ１５が、周方向Ｒでみて相対向する２方向に回転可能に保持されている。この構成によると、例えば、間隔Ｗ４が６００ｍｍ程度の一人用エスカレータにおいて、幅寸法Ｗ１５が４００ｍｍ程度のローラブラシ１５を有する清掃装置１を左右反転して設置し、踏み面５０の左面と右面とを順次清掃し、清掃した面領域の踏み段溝５１内の塵埃等６を除去することができる。
【００７６】
一方、図６のエスカレータにおいて、下階側の昇降口２１と、上階側の昇降口２２とに左右反転した状態で２つの清掃装置１を同時に設置することが可能である。その様な使い方をした場合、踏み面５０の左面と右面とを同時に清掃することができるから、清掃時間を短縮することができる。
【００７７】
上述したように、エスカレータにおいて、清掃装置１は、軸部１４が踏み面５０と平行になるように一対の側壁４、４の間隔Ｗ４に取り付けられ、取り付けられた状態で、摩擦ローラ１２が踏み面５０に接触し、ローラブラシ１５が踏み段溝５１に接触している。この構造によると、自動運転のエスカレータで、無人の清掃が可能となる。従って、清掃作業の効率化を図り、コストを低減することができる。
【００７８】
図１０の清掃装置は、二人乗り用エスカレータに用いる場合の実施形態であって、ローラブラシ１５が３つのローラブラシ部材１５ａ〜ｃの連結構造となっている点に特徴がある。二人乗り用エスカレータにおける踏み面５０の幅寸法は、１０００ｍｍ程度であるから、３つのローラブラシ部材１５ａ〜ｃを連結することにより、ローラブラシ１５の幅寸法Ｗ１５は５２５〜６００ｍｍの範囲で決定される。図１０の実施形態によっても、図１乃至図９を参照して説明した利点を全て有することができる。
【００７９】
以上、好ましい実施例を参照して本発明の内容を具体的に説明したが、本発明の基本的技術思想及び教示に基づいて、当業者であれば、種種の変形態様を採り得ることは自明である。
【符号の説明】
【００８０】
１                清掃装置
１０              制御部
１２              摩擦ローラ
１３              減速部
１４              軸部
１５              ローラブラシ
１５０            可撓性部材
１５１            ローラ基体
１６              一対の支持部
１８              拡張部
４                一対の側壁
５                踏み段
【図１】
2011105406.tif 000003
【図２】
2011105406.tif 000004
【図３】
2011105406.tif 000005
【図４】
2011105406.tif 000006
【図５】
2011105406.tif 000007
【図６】
2011105406.tif 000008
【図７】
2011105406.tif 000009
【図９】
2011105406.tif 000010
【図１０】
2011105406.tif 000011
【図８】
2011105406.tif 000012